(57)【要約】【課題】  高さ調整が容易であると共に、再現性をもって元の高さに戻すことが容易で、容易に天板の高さを判断することができる天板の高さ調整機構を提供することにある。【解決手段】  天板と基台との間にリンク機構が設けられ、リンク機構の交差角度を変えることにより該天板の高さが変わる天板の高さ調整機構であって、第１のリンクの下端が基台に回動自在に軸支されると共に上端が天板に摺動自在に支持され、第２のリンクの上端が天板に回動自在に軸支されると共に下端が基台に摺動自在に支持され、第１のリンクの上端付近から摺動方向に略直角に横方向に伸びる係止棒と、係止棒に係合して係止棒の摺動を規制する係止溝を係止棒の摺動方向に沿って複数有すると共に係止溝が係止棒に係脱自在に動作する係止片とを備え、係止棒の端部が天板又は基台の外側に突出することを特徴とする。【選択図】図４
2011041664.tif 000002
【特許請求の範囲】
【請求項１】
天板と基台との間にリンク機構が設けられ、該リンク機構の一対のＸ字状に交差した第１のリンクと第２のリンクの交差角度を変えることにより該天板の高さが変わる天板の高さ調整機構において、
該第１のリンクの下端が該基台に回動自在に軸支されると共に上端が該天板に摺動自在に支持され、
該第２のリンクの上端が該天板に回動自在に軸支されると共に下端が該基台に摺動自在に支持され、
該第１のリンクの上端付近から摺動方向に略直角に横方向に伸びる係止棒と、
該係止棒に係合して該係止棒の摺動を規制する係止溝を該係止棒の摺動方向に沿って複数有すると共に該係止溝が該係止棒に係脱自在に動作する係止片とを備え、
該係止棒の端部が該天板又は該基台の外側に突出することを特徴とする天板の高さ調整機構。
【請求項２】
前記係止棒及び前記係止片が、前記第１のリンクではなく前記第２のリンクの下端付近に設けられていることを特徴とする請求項１記載の天板の高さ調整機構。
【請求項３】
前記係止片が、上下方向に傾動可能に軸支され、傾動することにより前記係止溝が前記係止棒に係脱することを特徴とする請求項１又は請求項２記載の天板の高さ調整機構。
【請求項４】
前記係止片を傾動させるハンドルを備え、
該ハンドルを上方向に傾動させることにより、該係止片が傾動して前記係止溝が前記係止棒から抜脱されることを特徴とする請求項３記載の天板の高さ調整機構。
【請求項５】
前記係止棒が、前記第１のリンクの上端又は前記第２のリンクの下端の摺動を誘導及び規制する摺動ピンを兼ねることを特徴とする請求項１〜請求項４のいずれかに記載の天板の高さ調整機構。
【請求項６】
前記係止溝が前記係止棒に係合する方向に前記係止片を付勢する弾性部材を備えることを特徴とする請求項１〜請求項５のいずれかに記載の天板の高さ調整機構。
【請求項７】
前記天板を上昇させる方向に付勢する弾性部材を備えることを特徴とする請求項１〜請求項６のいずれかに記載の天板の高さ調整機構。
【請求項８】
前記弾性部材が、ねじりばねで、
螺旋部分が前記第１のリンクと前記第２のリンクの交差部に設けられ、
該ねじりばねが該第１のリンクの上端付近と該第２のリンクの下端付近との間に張架されていることを特徴とする請求項１〜請求項７のいずれかに記載の天板の高さ調整機構。
【請求項９】
前記係止棒の係止位置を示す目盛りを、前記天板又は前記基台に備えることを特徴とする請求項１〜請求項８のいずれかに記載の天板の高さ調整機構。
【発明の詳細な説明】
【技術分野】
【０００１】
本発明は、ピアノの補助台や椅子の座部等の天板の高さ調整機構に関する。
【背景技術】
【０００２】
従来より、ピアノの補助台や椅子の座部等の天板の高さ調整には、数々の方法が用いられている。例えば特許文献１に示すピアノ椅子では、椅子本体にＸリンクを介して座部が接続され、ねじ棒に設けられたつまみを回すことにより、Ｘリンクの交差角度が変わり座部の高さが変わるような機構が用いられている。
【先行技術文献】
【特許文献】
【０００３】
【特許文献１】特開２０００−２６２３５３号公報
【発明の概要】
【発明が解決しようとする課題】
【０００４】
しかしながら、従来の天板の高さ調整機構では、つまみを回すことにより高さを調整していることから、操作が煩雑で、元の高さに戻したいような場合に元の高さの再現性が乏しい。
【０００５】
本発明は、このような事情に鑑みてなされたもので、高さ調整が容易であると共に、再現性をもって元の高さに戻すことが容易で、容易に天板の高さを判断することができる天板の高さ調整機構を提供することにある。
【課題を解決するための手段】
【０００６】
請求項１記載の天板の高さ調整機構は、天板と基台との間にリンク機構が設けられ、リンク機構の一対のＸ字状に交差した第１のリンクと第２のリンクの交差角度を変えることにより該天板の高さが変わる天板の高さ調整機構であって、第１のリンクの下端が基台に回動自在に軸支されると共に上端が天板に摺動自在に支持され、第２のリンクの上端が天板に回動自在に軸支されると共に下端が基台に摺動自在に支持され、第１のリンクの上端付近から摺動方向に略直角に横方向に伸びる係止棒と、係止棒に係合して係止棒の摺動を規制する係止溝を係止棒の摺動方向に沿って複数有すると共に係止溝が係止棒に係脱自在に動作する係止片とを備え、係止棒の端部が天板又は基台の外側に突出することを特徴とする。
【０００７】
請求項２記載の天板の高さ調整機構は、係止棒及び係止片が、第１のリンクではなく第２のリンクの下端付近に設けられていることを特徴とする。
【０００８】
請求項３記載の天板の高さ調整機構は、係止片が、上下方向に傾動可能に軸支され、傾動することにより係止溝が係止棒に係脱することを特徴とする。
【０００９】
請求項４記載の天板の高さ調整機構は、係止片を傾動させるハンドルを備え、ハンドルを上方向に傾動させることにより、係止片が傾動して係止溝が係止棒から抜脱されることを特徴とする。
【００１０】
請求項５記載の天板の高さ調整機構は、係止棒が、第１のリンクの上端又は第２のリンクの下端の摺動を誘導及び規制する摺動ピンを兼ねることを特徴とする。
【００１１】
請求項６記載の天板の高さ調整機構は、係止溝が係止棒に係合する方向に係止片を付勢する弾性部材を備えることを特徴とする。
【００１２】
請求項７記載の天板の高さ調整機構は、天板を上昇させる方向に付勢する弾性部材を備えることを特徴とする。
【００１３】
請求項８記載の天板の高さ調整機構は、請求項７の弾性部材が、ねじりばねで、螺旋部分が第１のリンクと第２のリンクの交差部に設けられ、ねじりばねが第１のリンクの上端付近と第２のリンクの下端付近との間に張架されていることを特徴とする。
【００１４】
請求項９記載の天板の高さ調整機構は、係止棒の係止位置を示す目盛りを、天板又は基台に備えることを特徴とする。
【発明の効果】
【００１５】
請求項１又は請求項２の発明によれば、リンクに設けられた係止棒に係合して係止棒の摺動を規制する係止溝を係止棒の摺動方向に沿って複数有すると共に係止溝が係止棒に係脱自在に動作する係止片を備えることから、係止棒に係合する係止溝を選ぶことで天板の高さの調整が可能で、高さ調整が容易であると共に、再現性をもって元の高さに戻すことが容易である。また、係止棒の端部が天板又は基台の外側に突出することから、天板又は基台のどの位置から係止棒が突出しているかを確かめることで、容易に天板の高さを判断することができる。
【００１６】
請求項３の発明によれば、係止片が、上下方向に傾動可能に軸支され、傾動することにより係止溝が係止棒に係脱することから、係止片が係止棒に係脱する構造が容易となり、コストを抑えることが可能である。
【００１７】
請求項４の発明によれば、係止片を傾動させるハンドルを備え、ハンドルを上方向に傾動させることにより、係止片が傾動して係止溝が係止棒から抜脱されることから、ハンドルを踏みつけたりしても高さが変わらず、不用意な天板の動きを防止できる。
【００１８】
請求項５の発明によれば、係止棒が、第１のリンクの上端又は第２のリンクの下端の摺動を誘導及び規制する摺動ピンを兼ねることから、構造が容易になり部品点数が減ることから、コストを抑えることが可能である。
【００１９】
請求項６の発明によれば、係止溝が係止棒に係合する方向に係止片を付勢する弾性部材を備えることから、係止棒と係止片との係合状態が維持され、不用意な天板の動きを防止できる。
【００２０】
請求項７の発明によれば、天板を上昇させる方向に付勢する弾性部材を備えることから、天板の位置を高くする場合に、弾性部材が上昇力を補ってくれ、操作の労力を抑えることができる。
【００２１】
請求項８の発明によれば、請求項７の弾性部材が、ねじりばねで、螺旋部分が第１のリンクと第２のリンクの交差部に設けられ、ねじりばねが第１のリンクの上端付近と第２のリンクの下端付近との間に張架されていることから、ねじりばねが各リンクの摺動を積極的に補助し、より小さな付勢力の弾性部材で天板の上昇を補助できる。
【００２２】
請求項９の発明によれば、係止棒の係止位置を示す目盛りを、天板又は基台に備えることから、所望の高さの峻別が可能である。
【図面の簡単な説明】
【００２３】
【図１】本発明に係る天板の高さ調整機構を用いたピアノ補助台の上面図である。
【図２】同ピアノ補助台の右側面図である。
【図３】同ピアノ補助台の背面図である。
【図４】同ピアノ補助台の動作を示す右側面図である。
【図５】同ピアノ補助台の動作を示す左側面図である。
【発明を実施するための形態】
【００２４】
以下、本発明の形態について図面を参照しながら具体的に説明する。図１は、本発明に係る天板の高さ調整機構を用いたピアノ補助台の上面図である。図２は、同ピアノ補助台の右側面図である。図３は、同ピアノ補助台の背面図である。図４は、同ピアノ補助台の動作を示す右側面図である。図５は、同ピアノ補助台の動作を示す左側面図である。本発明の形態におけるピアノ補助台１は、本発明に係る天板４の高さ調整機構８を有するもので、子供のような背の低いピアノ演奏者が足を乗せる時などに使用するものである。
【００２５】
ピアノ補助台１は、板状の天板４、ロ字に囲い状の基台６及び天板４と基台６との間に設けられた高さ調整機構８で構成されている。高さ調整機構８は、天板４の下面から垂下する板状の上枠２０、基台６の内側に架け渡された板状の下枠１４、上枠２０と下枠１４との間に架け渡されたＸ字状のリンク機構１０等から構成されている。上枠２０、下枠１４及びリンク機構１０は、左右１対設けられている。
【００２６】
リンク機構１０を構成する２枚の細長の板状である２枚のリンク１０ａ，１０ｂは、棒状のリンク軸１２で交差角度が自在に変わるように連結されている。リンク軸１２は、棒状で、１対のリンク機構１０のそれぞれに架け渡されている。第１のリンクとなるリンク１０ａは、下端が回動軸１６により下枠１４の手前側に回動自在に軸支されている。回動軸１６は、棒状で、１対の下枠１４のそれぞれに架け渡されている。また、リンク１０ａの上端は、摺動軸２４により上枠２０の後方側に穿設された楕円形の摺動穴２０ａに規制されつつ、上枠２０に摺動自在に支持されている。摺動軸２４は、棒状で、１対のリンク１０ａの上端のそれぞれに架け渡され固定されている。尚、摺動軸２４の右側の端部は、天板４の外側にまで突出するように伸び、突出した部分が突主部２４ａとなっている（図１参照）。
【００２７】
第２のリンクとなるリンク１０ｂは、上端が回動軸２２により上枠２０の手前側に回動自在に軸支されている。回動軸２２は、棒状で、１対の上枠２０のそれぞれに架け渡されている。また、リンク１０ｂの下端は、摺動軸１８により下枠１４の後方側に穿設された楕円形の摺動穴１４ａに規制されつつ、下枠１４に摺動自在に支持されている。摺動軸１８は、棒状で、１対のリンク１０ｂの下端のそれぞれに架け渡され固定されている。
【００２８】
このような構造のリンク機構１０は、リンク１０ａの下端及びリンク１０ｂの上端が回動しつつ、リンク１０ａの上端及びリンク１０ｂの下端がそれぞれ上枠２０の摺動穴２０ａ及び下枠１４の摺動穴１４ａに沿う形で摺動することにより、リンク１０ａ及びリンク１０ｂがリンク軸１２を中心に交差角度が変わり、基台６に対する天板４の高さが変わることになる。
【００２９】
天板４の下面から垂下する上枠２０の略中央部分には、棒状のハンドル軸２８ａが回動自在に２つの上枠２０に架け渡されて設けられている。そして、ハンドル軸２８ａは、右側の上枠２０から外側方向に突出し、さらに天板４の外側に突出している。さらに、ハンドル軸２８ａの天板４から突出した端部は、前方側に屈曲し、その端部にハンドル２８が設けられている。
【００３０】
ハンドル軸２８ａの右側の上枠２０の付け根部分には、長方形の板状の係止片２６の一端が固定されている。係止片２６は、後方側に延設され、上辺に他端から一端に向かって複数（図では６個）の係止溝２６ａが等間隔に穿設されている。この係止溝２６ａは、摺動軸２４に係合可能な形状であり、摺動軸２４に係合可能に摺動方向に沿って複数設けられている。そして、ハンドル軸２８ａが回動自在であることから、係止片２６はハンドル軸２８ａにより傾動可能に軸支されていることになり、傾動することによりいずれかの係止溝２６ａが摺動軸２４に係脱することになる。係止片２６のいずれかの係止溝２６ａが摺動軸２４に係合することで、摺動軸２４が摺動できなくなり、リンク機構１０の交差角度が変わらなくなり、結果として天板４の高さが固定されることになる。
【００３１】
尚、ハンドル軸２８ａは、左側の上枠２０の外側にもわずかに突出しており、右側と同様に係止片２６が設けられている。そして、ハンドル軸２８ａの左側の上枠２０から突出した部分には、ねじりばね３２の螺旋部分が装着され、ねじりばね３２の一端が天板４の下面に当接し他端が係止片２６に掛架されている。すなわち、ねじりばね３２は、係止片２６を上方向（係止片２６が摺動軸２４に係合する方向）に付勢している。尚、本実施の形態のピアノ補助台１では、左右両側に係止片２６を設けたが、どちらか一方でもよく、ねじりばね３２を右側の係止片２６だけに設けたり両側に設けるようにしてもよい。また、ねじりばね３２は、係止片２６を摺動軸２４に係合する方向に付勢可能であればねじりばねに限られず付勢力のある弾性部材で付勢可能な構造であればよく、例えば、板バネ、スポンジ材等でもよい。
【００３２】
また、リンク軸１２の略中央には、ねじりばね３０の螺旋部分が装着され、ねじりばね３０がリンク１０ａの上端付近から伸びる摺動軸２４とリンク１０ｂの下端付近から伸びる摺動軸１８との間に張架されている。すなわち、ねじりばね３０は、リンク機構１０を介して天板４を上昇させる方向に付勢している。ねじりばね３０は、天板４を上昇させる方向に付勢可能であればねじりばねに限られず付勢力のある弾性部材で付勢可能な構造であればよく、例えば、板バネ、スポンジ材等でもよい。
【００３３】
また、天板４の摺動軸２４の突出部２４ａが突出する位置には、昇降目盛りシール４０が貼られている。昇降目盛りシール４０には、係止片２６の係止溝２６ａと同じ間隔で昇降目盛り４０ａが表示されている。
【００３４】
次の本実施の形態のピアノ補助台１の使用方法及び動作を説明する。ピアノ補助台１の高さを調整したい使用者は、まず、ハンドル２８を上方向に傾動させる。そして、ハンドル２８を上方向に傾動させたまま、天板４を下に押し上げたり上に引き上げたりする。天板４が動き始めた状態でハンドル２８を元の状態に戻せば、１段上又は下に高さが変わったところで天板４の高さは固定される。この操作を繰り返すことで、天板４を所望の高さにすることができる。尚、ハンドル２８を傾動させたままで、天板４が所望の高さになったところでハンドル２８を戻すようにしてもよい。尚、ハンドル２８を意識して戻さなくても、ねじりばね３２の付勢力でハンドル２８は元に戻ろうとするので、単にハンドル２８を離すだけでもよい。
【００３５】
天板４の高さを調整する場合の動作を図２及び図４（図５）で説明する。まず、図２に示すように、摺動棒２４に係止片２６の係止溝２６ａが係合しており、摺動棒２４が規制されていることから、リンク機構１０の交差角度が変わらず、天板４の高さは固定されたままである。ここで、図４に示すように、ハンドル２８を上方向に傾動させると、ハンドル軸２８ａが回転し、その回転にあわせて係止片２６が傾き、係止溝２６ａが摺動軸２４から外れる。すると、摺動軸２４は、上枠２０の摺動穴２０ａに規制されつつ摺動可能となり、リンク機構１０の交差角度を変えることが可能な状態になる。そして、逆に、図２に示す位置にハンドル２８を戻すと、再び係止片２６の係止溝２６ａのいずれかが摺動軸２４に係合して摺動軸２４の摺動を規制し、リンク機構１０の交差角度が変わらない状態になり、天板４の高さが固定されることになる。
【００３６】
以上のように、本実施の形態のピアノ補助台１に用いられる天板の高さ調整機構８によれば、リンク１０ａに設けられた係止棒である摺動軸２４に係合して摺動軸２４の摺動を規制する係止溝２６ａを摺動軸２４の摺動方向に沿って複数有すると共に係止溝２６ａが摺動軸２４に係脱自在に動作する係止片２６を備えることから、いずれかの摺動軸２４に係合する係止溝２６ａを選ぶことで天板４の高さの調整が可能で、高さ調整が容易であると共に、係止溝２６ａを選択することで再現性をもって元の高さに戻すことが容易である。また、係止棒である摺動軸２４の端部である突出部２４ａが天板４又は基台６の外側に突出することから、天板４又は基台６のどの位置から摺動軸２４が突出しているかを確かめることで、容易に天板４の高さを判断することができる。
【００３７】
尚、本実施の形態の高さ調整機構８では、係止棒とリンク機構１０の摺動ピンとを同一の摺動軸２４で構成させたら、係止棒と摺動ピンとを別体で構成することも可能であり、係止棒は、リンク１０ａの上端付近から、リンク１０ａの上端の摺動方向に略直角に横方向に伸びる構造が望ましい。係止棒と摺動ピンとが兼ねることで、構造が容易になり部品点数が減ることから、コストを抑えることが可能である。また、摺動軸２４の突出する方向は、左右どちらでもよく、また、ハンドル２８等の位置を天板４側ではなく基台６側として、係止片２６を下枠１４側に設けて摺動軸１８の側に係合するような構造にしてもよい。
【００３８】
また、係止片２６が、上下方向に傾動可能に軸支され、傾動することにより係止溝２６ａが係止棒である摺動軸２４に係脱することから、係止片２６が摺動軸２４に係脱する構造が容易となり、コストを抑えることが可能である。
【００３９】
さらに、係止片２６を傾動させるハンドル２８を備え、ハンドル２８を上方向に傾動させることにより、係止片２６が傾動して係止溝２６ａが係止棒である摺動軸２４から抜脱されることから、ハンドル２８を踏みつけたりしても高さが変わらず、不用意な天板４の動きを防止できる。
【００４０】
さらに、係止溝２６ａが係止棒である摺動軸２４に係合する方向に係止片２６を付勢する弾性部材であるねじりばね３２を備えることから、摺動軸２４と係止片２６との係合状態が維持され、不用意な天板４の動きを防止できる。
【００４１】
さらに、天板４を上昇させる方向に付勢する弾性部材であるねじりばね３０を備えるこで、天板４の位置を高くする場合に、ねじりばね３０が上昇力を補ってくれ、操作の労力を抑えることができる。
【００４２】
さらに、天板４を上昇させる方向に付勢する弾性部材がねじりばね３０で、螺旋部分がリンク１０ａとリンク１０ｂとの交差部に設けられ、ねじりばね３０がリンク１０ａの上端付近とリンク１０ｂの下端付近との間に張架されていることから、ねじりばね３０が各リンク１０ａ，１０ｂの摺動を積極的に補助し、より小さな付勢力の弾性部材で天板４の上昇を補助できる。
【００４３】
さらに、係止棒である摺動軸２４の係止位置を示す目盛りを、天板４又は基台６に備えることで、所望の高さの峻別が可能である。
【産業上の利用可能性】
【００４４】
以上のように、本発明の天板の高さ調整機構は、ピアノ補助台の他、例えば、椅子の天板である座部の高さ調整、足を乗せる台の天板である踏み板の高さ調整、化粧台等のテーブルの天板の高さ調整等、各種の高さが可変する天板の高さ調整の手段として用いることが可能である。
【符号の説明】
【００４５】
１・・・・・ピアノ補助台
４・・・・・天板
６・・・・・基台
８・・・・・高さ調整機構
１０・・・・リンク機構
１０ａ・・・リンク
１０ｂ・・・リンク
１２・・・・リンク軸
１４・・・・下枠
１４ａ・・・摺動穴
１６・・・・回動軸
１８・・・・摺動軸
２０・・・・上枠
２０ａ・・・摺動穴
２２・・・・回動軸
２４・・・・摺動軸
２４ａ・・・突出部
２６・・・・係止片
２６ａ・・・係止溝
２８・・・・ハンドル
２８ａ・・・ハンドル軸
３０・・・・ねじりばね
３２・・・・ねじりばね
４０・・・・昇降目盛りシール
４０ａ・・・昇降目盛り
【図１】
2011041664.tif 000003
【図２】
2011041664.tif 000004
【図３】
2011041664.tif 000005
【図４】
2011041664.tif 000006
【図５】
2011041664.tif 000007